(57)【特許請求の範囲】
【請求項１】
装置本体に設けられ、記録媒体に画像を形成するための構成部材を駆動するための駆動系と、
前記駆動系を作動させるための回路基板と、
前記回路基板を、前記装置本体に対して開閉可能な開閉部の内側に閉状態の前記開閉部の内面に沿って、かつ前記駆動系を隠蔽する隠蔽位置に着脱可能に支持する第１支持部と、
前記装置本体に設けられ、前記隠蔽位置から取り外された回路基板を、前記駆動系を外部に露出させる露出位置に支持する第２支持部と、
を備え、
前記隠蔽位置が、前記記録媒体を搬送する搬送部材を駆動するための前記駆動系が配置された搬送路側であり、
前記露出位置が、前記隠蔽位置に対して前記搬送路側の反対側であり、
前記回路基板が、前記駆動系を駆動させるための信号を前記装置本体へ送る制御基板であり、
前記隠蔽位置の前記制御基板から見て前記搬送路とは反対側に、前記駆動系を駆動させるための電力を前記装置本体へ送る電源基板が配置されており、
前記露出位置の制御基板は、前記電源基板の少なくとも一部を覆う画像形成装置。
【請求項２】
装置本体に設けられ、記録媒体に画像を形成するための構成部材を駆動するための駆動系と、
前記駆動系を作動させるための回路基板と、
前記回路基板を、前記装置本体に対して開閉可能な開閉部の内側に閉状態の前記開閉部の内面に沿って、かつ前記駆動系を隠蔽する隠蔽位置に着脱可能に支持する第１支持部と、
前記装置本体に設けられ、前記隠蔽位置から取り外された回路基板を、前記駆動系を外部に露出させる露出位置に支持する第２支持部と、
を備え、
前記駆動系は、前記回路基板が前記第２支持部に支持された状態において動作し、
前記隠蔽位置が、前記記録媒体を搬送する搬送部材を駆動するための前記駆動系が配置された配置側であり、
前記露出位置が、前記隠蔽位置に対して前記配置側の反対側であり、
前記回路基板が、前記駆動系を駆動させるための信号を前記装置本体へ送る制御基板であり、
前記隠蔽位置の前記制御基板から見て前記配置側とは反対側に、前記駆動系を駆動させるための電力を前記装置本体へ送る電源基板が配置されており、
前記露出位置の制御基板は、前記電源基板の少なくとも一部を覆う画像形成装置。
【請求項３】
前記回路基板と前記装置本体とに接続される配線が、前記隠蔽位置と前記露出位置とで異なる経路で前記回路基板に接続可能とされる請求項１又は２に記載の画像形成装置。
【請求項４】
前記回路基板と前記装置本体とに接続される配線が、前記露出位置の回路基板には届かない長さとされている請求項１又は２に記載の画像形成装置。
【請求項５】
前記回路基板と前記装置本体とに接続される配線が、前記回路基板の上方及び下方から接続され、
前記露出位置は、前記隠蔽位置に対して横側の位置である請求項１〜４のいずれか１項に記載の画像形成装置。
【発明の詳細な説明】
【技術分野】
【０００１】
本発明は、画像形成装置に関する。
【背景技術】
【０００２】
画像形成装置としては、特許文献１に開示される画像形成装置が公知である。特許文献１に開示される画像形成装置は、電装部５０から装置本体１２へ配線された電線５４が、電装部５０を開く方向に押圧し、電装部５０の開状態を保持するように構成されている。
【先行技術文献】
【特許文献】
【０００３】
【特許文献１】特開２００７−１１４２７３号公報（図２）
【発明の概要】
【発明が解決しようとする課題】
【０００４】
本発明は、回路基板を装置本体に対して回転移動させるヒンジ機構に頼ることなく、駆動系を露出できるようにすることを課題とする。
【課題を解決するための手段】
【０００５】
請求項１の発明は、装置本体に設けられ、記録媒体に画像を形成するための構成部材を駆動するための駆動系と、前記駆動系を作動させるための回路基板と、前記回路基板を、前記装置本体に対して開閉可能な開閉部の内側に閉状態の前記開閉部の内面に沿って、かつ前記駆動系を隠蔽する隠蔽位置に着脱可能に支持する第１支持部と、前記装置本体に設けられ、前記隠蔽位置から取り外された回路基板を、前記駆動系を外部に露出させる露出位置に支持する第２支持部と、を備える画像形成装置である。
【０００６】
請求項１の発明の発明は、前記隠蔽位置が、前記記録媒体を搬送する搬送部材を駆動するための前記駆動系が配置された搬送路側であり、前記露出位置が、前記隠蔽位置に対して前記搬送路側の反対側である。
【０００７】
請求項１の発明は、前記回路基板が、前記駆動系を駆動させるための信号を前記装置本体へ送る制御基板であり、前記隠蔽位置の前記制御基板から見て前記搬送路とは反対側に、前記駆動系を駆動させるための電力を前記装置本体へ送る電源基板が配置されており、前記露出位置の制御基板は、前記電源基板の少なくとも一部を覆う。
【０００８】
請求項３の発明は、前記回路基板と前記装置本体とに接続される配線が、前記隠蔽位置と前記露出位置とで異なる経路で前記回路基板に接続可能とされる請求項１又は２に記載の画像形成装置である。
【０００９】
請求項４の発明は、前記回路基板と前記装置本体とに接続される配線が、前記露出位置の回路基板には届かない長さとされている請求項１又は２に記載の画像形成装置である。
【００１０】
請求項５の発明は、前記回路基板と前記装置本体とに接続される配線が、前記回路基板の上方及び下方から接続され、前記露出位置は、前記隠蔽位置に対して横側の位置である請求項１〜４のいずれか１項に記載の画像形成装置である。
【発明の効果】
【００１１】
本発明の請求項１の構成によれば、回路基板を装置本体に対して回転移動させるヒンジ機構に頼ることなく、駆動系を露出できる。
【００１２】
本発明の請求項１の構成によれば、搬送部材の駆動系の駆動状態を視認することができる。
【００１３】
本発明の請求項１の構成によれば、電源基板を視認できる状態と、駆動系を視認できる状態と、に切り替えることができる。
【００１４】
本発明の請求項３の構成によれば、隠蔽位置と露出位置とで配線の経路が同じ場合に比べ、配線が邪魔になりにくい経路に配線を配置しやすくなる。
【００１５】
本発明の請求項４の構成によれば、露出位置の回路基板に届く長さの配線を用いる場合に比べ、配線にノイズが入りにくい。
【００１６】
本発明の請求項５の構成によれば、露出位置が隠蔽位置に対して縦側の位置である場合に比べ、配線がたるんだり引っ張られたりすることを抑制できる。
【図面の簡単な説明】
【００１７】
【図１】図１は、本実施形態に係る画像形成装置の構成を示す概略図である。
【図２】図２は、本実施形態に係る画像形成装置の外観を後面側から見た斜視図である。
【図３】図３は、図２に示す画像形成装置においてカバーを取り外した状態の斜視図である。
【図４】図４は、本実施形態に係る第２制御基板の筐体周辺の構成を示す概略図である。
【図５】図５は、本実施形態に係る第２制御基板の筐体の構成を示す斜視図である。
【図６】図６は、本実施形態に係る第２制御基板の筐体を対向板側から見た斜視図である。
【図７】図７は、本実施形態に係る第２電源基板の筐体の上板に形成された支持部の構成を示す斜視図である。
【図８】図８は、本実施形態に係る第２制御基板の筐体が露出位置に位置する状態を示す斜視図である。
【図９】図９は、本実施形態に係る第２制御基板の筐体が露出位置に位置する状態における駆動系を示す概略図である。
【発明を実施するための形態】
【００１８】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。
【００１９】
本実施形態に係る画像形成装置１０は、図１に示すように、原稿Ｇの画像を読み取る画像読取装置１１と、用紙等の記録媒体Ｐに画像を記録する画像記録装置２１と、を備えている。画像読取装置１１は、画像形成装置１０の上部に配置され、画像記録装置２１は、画像読取装置１１の下側に配置されている。なお、図中に示す矢印ＵＰは、鉛直方向上方を示している。
【００２０】
画像読取装置１１は、原稿Ｇの画像を読み取り、その読み取った画像を画像信号に変換するように構成されている。画像記録装置２１は、画像読取装置１１が変換した画像信号又は外部からの画像信号に基づいて記録媒体Ｐへ画像を記録するように構成されている。以下に、画像読取装置１１及び画像記録装置２１の具体的構成を説明する。
【００２１】
（本実施形態に係る画像読取装置１１の構成）
まず、画像読取装置１１の構成について説明する。
【００２２】
画像読取装置１１は、図１に示すように、原稿収容部１３から原稿排出部１５へ原稿Ｇを搬送する原稿搬送装置１２と、原稿搬送装置１２によって搬送される原稿Ｇの画像及びプラテンガラス４３に載せられた原稿Ｇの画像を読み取り可能な画像読取部１４と、を備えている。原稿搬送装置１２は、画像読取装置１１の上部に配置され、画像読取部１４は、画像読取装置１１の下部に配置されている。
【００２３】
原稿搬送装置１２は、画像読取部１４に対して開閉可能に取り付けられており、原稿搬送装置１２が開放された状態において、第１プラテンガラス４３上に原稿Ｇが載せられるようになっている。
【００２４】
画像読取部１４は、光Ｌを原稿Ｇの被読取面（画像面）へ照射する光照射ユニット１７と、光照射ユニット１７から原稿Ｇの被読取面へ光Ｌが照射されて原稿Ｇの被読取面で反射した反射光Ｌを導く導光ユニット１９と、導光ユニット１９によって導かれた光Ｌの光学像を結像する結像レンズ２４と、結像レンズ２４によって結像された光学像を検出する検出部２６とを備えている。
【００２５】
検出部２６は、結像レンズ２４によって結像された光Ｌを光電変換するＣＣＤ（Charge Coupled Device）イメージセンサ等の光電変換素子で構成されている。検出部２６によって得られた電気信号は、検出部２６と電気的に接続された画像処理装置２８に送られるようになっている。画像処理装置２８ではその電気信号が画像処理され、画像処理された電気信号（画像信号）が後述の第２制御基板１０２（図３参照）を介して、画像記録装置２１の後述の露光装置４０に送られるようになっている。
【００２６】
（本実施形態に係る画像記録装置２１の構成）
次に、本実施形態に係る画像記録装置２１の構成について説明する。
【００２７】
画像記録装置２１は、図１に示すように、用紙等の記録媒体Ｐが収容される複数の記録媒体収容部８０と、記録媒体Ｐに画像を形成する画像形成部２７と、複数の記録媒体収容部８０から画像形成部２７へ記録媒体Ｐを搬送する搬送部２９と、画像形成部２７によって画像が形成された記録媒体Ｐが排出される第１排出部６９、第２排出部７２及び第３排出部７６と、記録媒体収容部８０、画像形成部２７、搬送部２９、第１排出部６９、第２排出部７２及び第３排出部７６を含む各構成部品が設けられる装置本体２２と、を備えている。
【００２８】
画像形成部２７は、イエロー（Ｙ）、マゼンタ（Ｍ）、シアン（Ｃ）、ブラック（Ｋ）の各色のトナー画像を形成する画像形成ユニット３０Ｙ、３０Ｍ、３０Ｃ、３０Ｋ（以下、３０Ｙ〜３０Ｋと示す）と、画像形成ユニット３０Ｙ〜３０Ｋで形成されたトナー画像が転写される中間転写体の一例としての中間転写ベルト３２と、画像形成ユニット３０Ｙ〜３０Ｋで形成されたトナー画像を中間転写ベルト３２に転写するための第１転写部材の一例としての第１転写ロール４６と、第１転写ロール４６によって中間転写ベルト３２に転写されたトナー画像を中間転写ベルト３２から記録媒体Ｐへ転写するための第２転写部材の一例としての第２転写ロール６０と、第２転写ロール６０によって中間転写ベルト３２から記録媒体Ｐへ転写されたトナー画像を記録媒体Ｐに定着させる定着装置６４と、を備えている。
【００２９】
画像形成ユニット３０Ｙ〜３０Ｋは、全体として、水平方向に対して傾斜した状態で画像記録装置２１の上下方向中央部に並んで配置されている。また、画像形成ユニット３０Ｙ〜３０Ｋは、トナー画像を保持する像保持体として、一方向（図１における反時計周り方向）へ回転する感光体ドラム３４をそれぞれ有している。
【００３０】
各感光体ドラム３４の周囲には、感光体ドラム３４の回転方向上流側から順に、感光体ドラム３４を帯電させる帯電装置３６と、帯電装置３６によって帯電した感光体ドラム３４を露光して感光体ドラム３４に静電潜像を形成する露光装置４０と、露光装置４０によって感光体ドラム３４に形成された静電潜像を現像してトナー画像を形成する現像装置４２と、感光体ドラム３４に形成されたトナー画像が第１転写ロール４６によって中間転写ベルト３２に転写された後に感光体ドラム３４に残留しているトナーを除去する除去装置４４と、が設けられている。
【００３１】
露光装置４０は、画像形成ユニット３０Ｙ〜３０Ｋにおいて共通とされており、第２制御基板１０２（図３参照）から送られた画像信号に基づき静電潜像を形成するようになっている。第２制御基板１０２から送られる画像信号としては、画像読取装置１１で生成された画像信号や第２制御基板１０２が外部装置から取得した画像信号がある。
【００３２】
中間転写ベルト３２は、図１に示すように、画像形成ユニット３０Ｙ〜３０Ｋの上側に配置されており、中間転写ベルト３２に駆動力を付与する駆動ロール４８と、第２転写ロール６０に対向する対向ロール５０と、中間転写ベルト３２に張力を付与する張力付与ロール５４と、第１従動ロール５６と、第２従動ロール５８と、に予め定められた張力で巻き掛けられている。
【００３３】
中間転写ベルト３２は、駆動ロール４８によって回転力が付与され、感光体ドラム３４と接触しながら一方向（図１における時計周り方向）へ循環移動するようになっている。
【００３４】
中間転写ベルト３２を挟んで駆動ロール４８と対向する対向位置には、中間転写ベルト３２に残留したトナーを除去するための除去装置５２が設けられている。
【００３５】
また、中間転写ベルト３２の上方には、イエロー（Ｙ）、マゼンタ（Ｍ）、シアン（Ｃ）、黒（Ｋ）の各色の現像装置４２へ供給される各色のトナーを貯留するトナーカートリッジ３８Ｙ、３８Ｍ、３８Ｃ、３８Ｋが設けられている。
【００３６】
各第１転写ロール４６は、それぞれ対応する中間転写ベルト３２を挟んで感光体ドラム３４に対向している。各第１転写ロール４６と感光体ドラム３４との間が、感光体ドラム３４に形成されたトナー画像が中間転写ベルト３２に転写される第１転写位置とされている。
【００３７】
第２転写ロール６０は、中間転写ベルト３２を挟んで対向ロール５０と対向している。第２転写ロール６０と対向ロール５０との間が、中間転写ベルト３２に転写されたトナー画像が記録媒体Ｐに転写される第２転写位置とされている。
【００３８】
搬送部２９は、記録媒体収容部８０の各々に収容された記録媒体Ｐを送り出す送出ロール８８と、送出ロール８８に送り出された記録媒体Ｐが搬送される搬送路６２と、搬送路６２に沿って配置され送出ロール８８によって送り出された記録媒体Ｐを第２転写位置へ搬送する搬送ロール９０、９２、９４と、を備えて構成されている。
【００３９】
定着装置６４は、第２転写位置よりも搬送方向下流側に配置されており、加熱ロール６４Ａ及び加圧ロール６４Ｂによって、第２転写位置で転写されたトナー画像を記録媒体Ｐへ定着させる。
【００４０】
定着装置６４よりも搬送方向下流側には、トナー画像が定着された記録媒体Ｐを搬送する搬送ロール６６が設けられている。この搬送ロール６６の搬送方向下流側には、記録媒体Ｐの搬送方向を切り替える切替部材６８が設けられている。この切替部材６８の搬送方向下流側には、切替部材６８によって切り替えられた搬送方向の一方側（図１における右側）に搬送される記録媒体Ｐを第１排出部６９に排出する第１排出ロール７０が設けられている。
【００４１】
また、切替部材６８の搬送方向下流側には、切替部材６８によって切り替えられた搬送方向の他方側（図１における上側）に搬送される記録媒体Ｐを搬送する搬送ロール７３と、搬送ロール７３によって搬送される記録媒体Ｐを第２排出部７２に排出する第２排出ロール７４と、搬送ロール７３によって搬送される記録媒体Ｐを第３排出部７６に排出する第３排出ロール７８と、が設けられている。
【００４２】
定着装置６４の側方には、搬送ロール７３を逆転させることで反転された記録媒体Ｐが搬送される反転搬送路９６が形成されている。反転搬送路９６には、反転搬送路９６に沿って複数の搬送ロール９８が設けられている。これらの搬送ロール９８によって搬送された記録媒体Ｐは、搬送ロール９４によって、再度第２転写位置へ送り込まれるようになっている。
【００４３】
また、画像記録装置２１の装置本体２２には、記録媒体に画像を形成するための構成部材を駆動するための駆動系として、画像形成ユニット３０Ｙ〜３０Ｋの４つの感光体ドラム３４及び中間転写ベルト３２の駆動ロール４８等を駆動する駆動系８１と、搬送部２９の送出ロール８８、搬送ロール９０、９２、９４等を駆動する駆動系８２と、定着装置６４の加熱ロール６４Ａ及び加圧ロール６４Ｂを駆動する駆動系８３と、その他の動作部品（例えば、現像装置４２等）を駆動する駆動系（図示省略）と、が設けられている。各駆動系８１、８２、８３は、各駆動モータ８１Ａ、８２Ａ、８３Ａと、各駆動モータ８１Ａ、８２Ａ、８３Ａから被駆動側に駆動力を伝達するための伝達部材の一例としての各ギア列８１Ｂ、８２Ｂ、８３Ｂ（図９参照）と、を備えて構成されている。なお、図９においては、各ギア列８１Ｂ、８２Ｂ、８３Ｂのギアを一部省略して図示している。
【００４４】
次に、本実施形態に係る画像記録装置２１における、記録媒体Ｐへ画像を形成する画像形成動作について説明する。
【００４５】
本実施形態に係る画像記録装置２１では、複数の記録媒体収容部８０のいずれかから送り出された記録媒体Ｐが、搬送ロール９０、９２、９４によって第２転写位置へ送り込まれる。
【００４６】
一方、画像形成ユニット３０Ｙ〜３０Ｋでは、画像読取装置１１又は外部装置から取得した画像信号に基づき露光装置４０が静電潜像を感光体ドラム３４に形成し、その静電潜像に基づくトナー画像が形成される。画像形成ユニット３０Ｙ〜３０Ｋで形成された各色のトナー画像は、第１転写位置にて中間転写ベルト３２に重ねられて、カラー画像が形成される。そして、記録媒体Ｐは、第２転写位置にて中間転写ベルト３２に形成されたカラー画像が転写される。
【００４７】
トナー画像が転写された記録媒体Ｐは、定着装置６４へ搬送され、転写されたトナー画像が定着装置６４により定着される。記録媒体Ｐの片面へのみ画像を形成する場合は、トナー画像が定着された後、記録媒体Ｐは、第１排出部６９、第２排出部７２及び第３排出部７６のいずれかに排出される。
【００４８】
記録媒体Ｐの両面へ画像を形成する場合には、片面に画像が形成された後、記録媒体Ｐは、搬送ロール７３によって反転されて、反転搬送路９６へ送り込まれる。さらに、反転搬送路９６から搬送ロール９４によって、再度第２転写位置へ送り込まれ、反対面側に上記と同様に画像が形成され、記録媒体Ｐの両面へ画像が形成される。以上のように、一連の画像形成動作が行われる。
【００４９】
なお、画像記録装置２１の構成としては、上記の構成に限られず、例えば、中間転写体を有さない直接転写型の画像記録装置であってもよく、画像が記録可能な画像記録装置であればよい。
【００５０】
（画像形成装置１０の後面側の構成）
次に、画像形成装置１０の後面側の構成について説明する。図２は、画像形成装置１０の外観を後面側から見た斜視図である。
【００５１】
なお、画像形成装置１０の後面１０Ｂとは、前面１０Ａとは反対側の面であって、本実施形態では、画像読取装置１１の原稿搬送装置１２を画像読取部１４に対して開放するためのヒンジ１２Ａが配置された側である。また、画像形成装置１０の前面１０Ａとは、そちら側から画像形成装置１０の各種の操作を行うようにされた側であって、例えば、画像形成装置１０を操作するための操作部１２Ｂが配置された側である。
【００５２】
なお、以下では、説明の便宜上、図中の矢印で示すように、前面１０Ａ側を、画像形成装置１０及びその構成部品の前方とし、後面１０Ｂ側を、画像形成装置１０及びその構成部品の後方とし、後面１０Ｂに向かって右側を、画像形成装置１０及びその構成部品の右側とし、後面１０Ｂに向かって左側を、画像形成装置１０及びその構成部品の左側として説明する。
【００５３】
画像形成装置１０の後面１０Ｂには、図２に示すように、画像記録装置２１の装置本体２２の後面（外周面）２２Ａ（図３参照）を覆う複数のカバー１０４が取り付けられている。この複数のカバー１０４は、図３に示すように、装置本体２２に対して取り外し可能に構成されている。すなわち、カバー１０４は、装置本体２２に対して開閉可能な開閉部として機能する。
【００５４】
画像形成装置１０の左側面１０Ｃには、画像記録装置２１の装置本体２２の左側面を覆うカバー１０３が取り付けられている。このカバー１０３も装置本体２２に対して取り外し可能に構成されている。
【００５５】
また、装置本体２２の左側面には、第１電源基板１１１（図１参照）が取り付けられた取付部材（図示省略）が着脱可能に設けられている。第１電源基板１１１及びその取付部材は、カバー１０３を取り外すことで外部に露出され、それによって外部から視認可能に、かつ、外部からアクセス可能に構成されている。
【００５６】
第１電源基板１１１は、例えば、外部電源からの電力を、装置本体２２の各部で必要とされる電圧に変換するための電源回路を有する回路基板である。すなわち、第１電源基板１１１は、駆動系８１、８２、８３を駆動させるための電力を装置本体２２へ送る電源基板として機能する。
【００５７】
装置本体２２の後面２２Ａには、図３に示すように、第１制御基板１０１が取り付けられる取付部材の一例としてのフレーム１０５と、回路基板の一例としての第２制御基板１０２が取り付けられる取付部材の一例としての筐体１０６と、第２電源基板１１２が取り付けられる取付部材の一例としての筐体１１５とが、それぞれ独立して着脱可能に設けられている。なお、装置本体２２の後面２２Ａは、閉状態のカバー１０４の内面に沿った面であって、かつ、閉状態のカバー１０４の内面に対向する対向面となっている。
【００５８】
第１制御基板１０１、第２制御基板１０２、第２電源基板１１２、フレーム１０５、筐体１０６及び筐体１１５は、カバー１０４を取り外すことで外部に露出され、それによって、外部から視認可能に、かつ、外部からアクセス可能に構成されている。
【００５９】
筐体１１５（第２電源基板１１２）は、画像記録装置２１の装置本体２２の上下方向中央部であって、装置本体２２の左側に配置されている。この位置は、後述の隠蔽位置にある場合の筐体１０６から見て、搬送路６２とは反対側の位置となっている。
【００６０】
筐体１１５は、装置本体２２への装着状態において、装置本体２２に対向する対向板１１５Ａと、上板１１５Ｂと、底板１１５Ｃと、筐体１１５の右側に配置された側板１１５Ｄと、を備えて構成され、後方側と左側の２面が開放された直方体形状とされている。筐体１１５の後方側に形成された開口１１７には、開口１１７の上下方向中央部を覆うカバー板１１５Ｆが設けられている。カバー板１１５Ｆは、左端部が、装置本体２２の左側に配置されたフレーム２２Ｂに取り付けられ、右端部が側板１１５Ｄに取り付けられている。
【００６１】
第２電源基板１１２は、筐体１１５内部において、対向板１１５Ａに取り付けられている。第２電源基板１１２は、例えば、外部電源からの電力を、交流から直流に変換するための電源回路を有する回路基板である。すなわち、第２電源基板１１２は、駆動系８１、８２、８３を駆動させるための電力を装置本体２２へ送る電源基板として機能する。第２電源基板１１２は、配線１１４によって第２制御基板１０２と接続され、配線１１６によって他の構成部品と接続されている。
【００６２】
フレーム１０５（第１制御基板１０１）は、画像記録装置２１の装置本体２２の下部であって、装置本体２２の右側に配置されている。フレーム１０５は、装置本体２２への装着状態において、装置本体２２に対向する対向板１０５Ａと、底板１０５Ｂと、を備えて構成されている。第１制御基板１０１は、対向板１０５Ａの後面側に取り付けられている。
【００６３】
第１制御基板１０１は、例えば、画像形成装置１０の全体の動作を制御するための回路基板であり、第１制御基板１０１によって、画像形成装置１０における画像形成動作や、画像読取装置１１における画像読取動作が制御される。すなわち、第１制御基板１０１は、駆動系８１、８２、８３を駆動させるための信号を装置本体２２へ送る制御基板として機能する。第１制御基板１０１は、配線１２２によって第２制御基板１０２と接続され、配線１２４によって他の構成部品と接続されている。
【００６４】
筐体１０６（第２制御基板１０２）は、画像記録装置２１の装置本体２２の上下方向中央部であって、装置本体２２の右側に配置されている。この位置は、筐体１０６が駆動系８１、８２、８３（図９参照）を隠蔽する隠蔽位置となっており、この位置に筐体１０６が配置された状態では、外部から駆動系８１、８２、８３を視認できないようになっている。また、この隠蔽位置である装置本体２２の右側は、搬送ロール９０、９２、９４及びそれを駆動する駆動系８２が配置された搬送路６２側となっている（図１参照）。
【００６５】
筐体１０６は、図４及び図５に示すように、装置本体２２への装着状態において、装置本体２２に対向する対向板１０６Ａと、上板１０６Ｂと、底板１０６Ｃと、一対の側板１０６Ｄ、１０６Ｅを備えて構成され、後方側が開放された直方体形状とされている。第２制御基板１０２は、筐体１０６内部において、対向板１０６Ａに取り付けられている。対向板１０６Ａの４隅には、図６に示すように、固定部材としてのねじ１０７（第１支持部の一例）が差し通される貫通孔１０８が形成されている。ねじ１０７を貫通孔１０８に差し通して装置本体２２の後面２２Ａにねじ止めすることにより、筐体１０６は、隠蔽位置に取り付けられる。
【００６６】
上板１０６Ｂには、図４に示すように、上方から第２制御基板１０２へ接続される配線１２０及び配線１２１が通される通し孔１２３が形成されている。側板１０６Ｄには、側方から第２制御基板１０２へ接続される前述の配線１１４が通される通し孔１３２が形成されている。底板１０６Ｃには、下方から第２制御基板１０２へ接続される前述の配線１２２が通される通し孔１３５と、下方から第２制御基板１０２へ接続される配線１３３が通される通し孔１３７と、が形成されている。
【００６７】
第２制御基板１０２は、通し孔１３２を通された配線１１４によって第２電源基板１１２と接続され、通し孔１３５を通された配線１２２によって第１制御基板１０１と接続され、通し孔１２３を通された配線１２０によって画像読取装置１１と接続され、通し孔１３７を通された配線１３３によって露光装置４０と接続され、通し孔１２３を通された配線１２１によってその他構成部品と接続されている。
【００６８】
これらの配線１１４、１２２、１２０、１２１、１３３は、それぞれ、両端に接続端子としてのコネクタ１２５が設けられており、このコネクタ１２５によって、第２制御基板１０２及びその接続部品に対して着脱可能に接続される。
【００６９】
このように、これらの配線１１４、１２２、１２０、１２１、１３３は、上板１０６Ｂ、側板１０６Ｄ及び底板１０６Ｃのいずれかに形成された通し孔１２３、１３２、１３５、１３７を通されており、対向板１０６Ａを介して配線されないため、外部に露出し、外部から視認可能に配線されている。
【００７０】
第２制御基板１０２は、例えば、画像読取装置１１の画像処理装置２８（図１参照）や外部装置等から入力される画像データや画像形成タイミング等を管理し、露光装置４０（図１参照）や第２制御基板１０２に対して動作を指示するようになっている。すなわち、第２制御基板１０２は、駆動系８１、８２、８３を駆動させるための信号を装置本体２２へ送る制御基板として機能する。
【００７１】
ここで、筐体１１５の上板１１５Ｂには、図７に示すように、隠蔽位置から取り外された筐体１０６を、駆動系８１、８２、８３を外部に露出させる露出位置に支持する支持部（第２支持部の一例）１４０が設けられている。露出位置は、画像記録装置２１の装置本体２２の上下方向中央部であって、装置本体２２の左側の位置であり、搬送路６２が形成された装置本体２２の右側の反対側の位置である。すなわち、露出位置は、隠蔽位置に対して横側（左側）の位置である。
【００７２】
一方、筐体１０６の対向板１０６Ａの上部には、図６に示すように、支持部１４０に支持される被支持部の一例としての２つの爪部１４２が、左右方向に離れて形成されている。支持部１４０には、図７に示すように、爪部１４２が挿入されて爪部１４２を引っ掛かるための２つの挿入孔１４０Ａが形成されている。
【００７３】
隠蔽位置では筐体１０６が対向板１０６Ａの４隅をねじ止めされるのに対して、支持部１４０は、筐体１０６を上記のように２点で支持するとともに、爪部１４２が引っ掛けられて支持するので、筐体１０６の下部が、装置本体２２から離れるように、後方側へ若干移動するようになっており、隠蔽位置と露出位置とでは、筐体１０６の装置本体２２への拘束力が異なる。これにより、露出位置への筐体１０６の着脱が簡易となる。
【００７４】
支持部１４０は、図８に示すように、対向板１０６Ａが装置本体２２の後面２２Ａに沿うように筐体１０６を支持し、筐体１０６は、開口１１６Ｆが後方を向いた状態で露出位置に支持されるようになっている。これにより、筐体１０６は、隠蔽位置と露出位置とで同じ向きで支持部１４０によって支持される。支持部１４０によって筐体１０６が露出位置に支持された状態では、筐体１０６は、筐体１１５の後方側で筐体１１５に重なるようになっている。これにより、第２制御基板１０２が第２電源基板１１２の少なくとも一部を覆うようになっている。
【００７５】
また、支持部１４０によって筐体１０６が露出位置に支持された状態において、駆動系８１は、具体的には、駆動系８１を支持するフレーム８１Ｃの隙間から露出され、駆動系８１の動作をその隙間から視認可能に構成されている。また、駆動系８２、８３は、駆動系８２、８３を支持するフレーム（図示省略）の隙間から露出され、駆動系８２、８３の動作をその隙間から視認可能に構成されている（図９参照）。
【００７６】
第２制御基板１０２に接続される各配線１１４、１２０、１２１は、露出位置に支持された第２制御基板１０２に対しては、隠蔽位置に位置する場合と異なる経路で接続されるようになっている。
【００７７】
特に、画像読取装置１１と接続される配線１２０は、図８に示すように、通し孔１２３を通らず、後方側の開口１０６Ｆを通って接続される。また、第１制御基板１０１と接続される配線１２２、及び露光装置４０と接続される配線１３３は、露出位置にある場合の第２制御基板１０２には届かない長さとされている。このため、配線１２２よりも長い配線１４８、及び配線１３３よりも長い配線１４９が、駆動系８１、８２、８３の駆動確認の際にそれ専用で用いられるようになっている。この配線１４８、１４９は、それぞれ配線１２２、１３３とは、異なる経路で第２制御基板１０２に接続されるようになっている。
【００７８】
（本実施形態に係る画像形成装置の作用）
次に、本実施形態に係る画像形成装置１０の作用として、駆動系８１、８２、８３の動作確認をするための手順を説明する。これは、画像形成装置１０の保守・点検の際に、駆動系８１、８２、８３が動作しているかを直接視認することにより、駆動系８１、８２、８３の動作確認をするものである。
【００７９】
まず、図３に示すように、カバー１０４を装置本体２２から取り外す（開放工程）。これにより、第２制御基板１０２の筐体１０６が外部へ露出し、筐体１０６及び第２制御基板１０２へアクセス可能となる。
【００８０】
次に、第２制御基板１０２に接続された配線１１４、１２０、１２１、１２２、１３３のコネクタ１２５を第２制御基板１０２から取り外す。また、配線１２２については、第１制御基板１０１からもコネクタ１２５を外し、配線１３３についても、露光装置４０からコネクタ１２５を外す（配線の取り外し工程）。
【００８１】
次に、ねじ１０７を外して、装置本体２２から筐体１０６を取り外す。次に、筐体１０６の爪部１４２を支持部１４０の挿入孔１４０Ａに引っ掛けることにより、筐体１１５を介して、筐体１０６を装置本体２２の露出位置に取り付ける（回路基板の移動工程）。
【００８２】
このように、本実施形態では、筐体１０６の爪部１４２を支持部１４０の挿入孔１４０Ａに引っ掛けて筐体１０６を支持するため、筐体１０６を装置本体２２に対して回転移動させるヒンジ機構を用いずに、駆動系８１、８２、８３が露出される。このように、本実施形態では、構造が複雑となるヒンジ機構を用いないので、構成が簡易となる。
【００８３】
次に、図８に示すように、外したコネクタ１２５を再び第２制御基板１０２に接続する。配線１２２及び配線１３３については、これらよりも長さが長い配線１４８、１４９に交換して、その配線の両端部にあるコネクタ１２５をそれぞれ、第２制御基板１０２と、第１制御基板１０１及び露光装置４０とに接続する（配線の接続工程）。
【００８４】
なお、配線１４８、１４９は、それぞれ、配線１２２、１３３よりも長さが長いため、ノイズが入りやすくなるが、ここでの動作確認では、駆動系８１、８２、８３が動作しているか否かの確認であるため、動作にばらつきが生じても問題はない。
【００８５】
次に、操作部１２Ｂを操作して、画像形成装置１０を動作させて、駆動系８１、８２、８３を視認して、駆動系８１、８２、８３が動作しているかを確認する（動作確認工程）。
【００８６】
なお、上記の構成では、隠蔽位置から露出位置に移動され駆動系８１、８２、８３を作動させるために必要な回路基板として、第２制御基板１０２が設けられていたが、回路基板としてこれに限られず、例えば、本実施形態における第１制御基板１０１、第１電源基板１１１、第２電源基板１１２やその他の回路基板であってもよい。
【００８７】
また、上記構成では、支持部１４０は、筐体１１５の上板１１５Ｂを介して、装置本体２２に設けられていたが、直接装置本体２２に設けられる構成であってもよい。
【００８８】
また、支持部１４０及び被支持部としての爪部１４２は、上記構成に限られず、例えば、爪部１４２を支持部として筐体１１５に設け、支持部１４０を被支持部として筐体１０６に設けてもよく、筐体１０６を支持できるものであればよい。また、支持部１４０は、隠蔽位置において、筐体１０６を支持する支持部と兼用としてもよい。従って、露出位置においても、ねじ１０７によってねじ止めされる構成であってもよい。
【００８９】
本発明は、上記の実施形態に限るものではなく、種々の変形、変更、改良が可能である。
【符号の説明】
【００９０】
１０   画像形成装置
２２   装置本体
６２   搬送路
８１   駆動系
８２   駆動系
８３   駆動系
１０２ 第２制御基板（回路基板の一例）
１０４ カバー（開閉部の一例）
１０７  ねじ（第１支持部の一例）
１１２ 第２電源基板（電源基板の一例）
１１４ 配線
１２０ 配線
１２１ 配線
１２２ 配線
１３３ 配線
１４０ 支持部（第２支持部の一例）
【図１】
0005531560.tif 000002
【図２】
0005531560.tif 000003
【図３】
0005531560.tif 000004
【図４】
0005531560.tif 000005
【図５】
0005531560.tif 000006
【図６】
0005531560.tif 000007
【図７】
0005531560.tif 000008
【図８】
0005531560.tif 000009
【図９】
0005531560.tif 000010